(57)【特許請求の範囲】
【請求項１】
水平の足場板支持部材と、当該足場板支持部材の内端から垂下する垂直部材と、当該垂直部材に取り付けられたパイプクランプとを備え、前記足場板支持部材は、丸パイプ材から構成され且つ内端に前記垂直部材が取り付けられた固定筒部と、当該固定筒部に出退移動自在に内嵌され且つ外端に足場板落下止め突出片が付設された可動筒部とから成り、前記固定筒部と前記垂直部材との間に斜め支持材が取り付けられた足場板支持用ブラケットであって、前記斜め支持材の上端には、前記固定筒部への取り付けのための取付座部が形成され、当該取付座部には、この取付座部から一体に形成された筒状壁部を周囲に備えた上下方向貫通ねじ孔が設けられ、この上下方向貫通ねじ孔を上向きに螺合貫通する締結用ボルトが設けられ、当該締結用ボルトの内端が前記固定筒部の下側周壁部を貫通して前記可動筒部を押圧固定するように構成された足場板支持用ブラケットにおいて、
前記上下方向貫通ねじ孔の周囲の筒状壁部は、前記斜め支持材の取付座部から上向きに突設され、前記固定筒部の下側周壁部には、前記上下方向貫通ねじ孔の周囲の筒状壁部が嵌合する貫通孔が設けられている、足場板支持用ブラケット。
【請求項２】
前記斜め支持材の取付座部と前記固定筒部の下側周壁部とは、前記上下方向貫通ねじ孔の前後両側２箇所でリベット止めされている、請求項１に記載の足場板支持用ブラケット。
【請求項３】
前記可動筒部には、この可動筒部の長さ方向と平行な長孔部が形成され、この長孔部を前記締結用ボルトが貫通して、当該締結用ボルトの先端が前記可動筒部の上側周壁部を前記固定筒部の内周面に押圧固定するように構成された、請求項１又は２に記載の足場板支持用ブラケット。
【請求項４】
前記斜め支持材の取付座部と前記固定筒部の下側周壁部とはリベット止めされ、前記長孔部の可動筒部内端側の端と前記リベット又は締結用ボルトとの当接により、前記固定筒部からの前記可動筒部の抜け出しが阻止されるように構成された、請求項３に記載の足場板支持用ブラケット。
【発明の詳細な説明】
【技術分野】
【０００１】
本発明は、枠組み足場の外側に補助の足場板を架設する場合などに活用される足場板支持用ブラケットに関するものである。
【背景技術】
【０００２】
この種の足場板支持用ブラケットとして、水平の足場板支持部材と、当該足場板支持部材の内端から垂下する垂直部材と、当該垂直部材に取り付けられたパイプクランプとを備え、前記足場板支持部材は、丸パイプ材から構成され且つ内端に前記垂直部材が取り付けられた固定筒部と、当該固定筒部に出退移動自在に内嵌され且つ外端に足場板落下止め突出片が付設された可動筒部とから成り、前記固定筒部と前記垂直部材との間に斜め支持材が取り付けられた足場板支持用ブラケットが、特許文献１などによって知られているが、当該足場板支持部材の伸縮構造は、特許文献１にも記載されているように、丸パイプ材から構成され且つ内端に前記垂直部材が取り付けられた固定パイプ材と、当該固定パイプ材に出退移動自在に内嵌された可動パイプ材とから構成し、固定パイプ材の外端部下側にナットを溶接して構成された上下方向貫通ねじ孔を螺合貫通する締結用ボルトで可動パイプ材の外周面を押圧させて固定パイプ材に固定できるように構成したものであった。
【特許文献１】特公昭５９−２２８４４号公報
【発明の開示】
【発明が解決しようとする課題】
【０００３】
上記のような従来の足場板支持部材の伸縮構造では、丸パイプ材から構成された固定筒部の外端下側周壁部に設けた貫通孔と同心状に、当該固定筒部の外端下側周面にナットを溶接する必要があり、締結用ボルトの螺合貫通するねじ孔の構成に多大の手間とコストがかかることになる。ナットを溶接するのに代えて、固定筒部の外端下側周壁部に、周囲に筒状壁部を備えた貫通孔をバーリング加工で形成し、この貫通孔の筒状周壁部の内周面にねじ溝加工を加えて上下方向貫通ねじ孔を形成することも考えられるが、このような構成を採用するためには、固定筒部の外端上側周壁部にも、前記貫通孔のバーリング加工のために大径の貫通孔を設けておく必要が生じ、固定筒部に対する加工コストが高くつくばかりでなく、固定筒部の強度低下にもつながるという問題点がある。
【課題を解決するための手段】
【０００４】
本発明は上記のような従来の問題点を解消し得る足場板支持用ブラケットを提供することを目的とするものであって、その手段を後述する実施形態の参照符号を括弧付きで付して示すと、水平の足場板支持部材(1)と、当該足場板支持部材(1)の内端から垂下する垂直部材(2)と、当該垂直部材(2)に取り付けられたパイプクランプ(4)とを備え、前記足場板支持部材(1)は、丸パイプ材から構成され且つ内端に前記垂直部材(2)が取り付けられた固定筒部(1A)と、当該固定筒部(1A)に出退移動自在に内嵌され且つ外端に足場板落下止め突出片(6)が付設された可動筒部(1B)とから成り、前記固定筒部(1A)と前記垂直部材(2)との間に斜め支持材(3)が取り付けられた足場板支持用ブラケットであって、前記斜め支持材(3)の上端には、前記固定筒部(1A)への取り付けのための取付座部(3a)が形成され、当該取付座部(3a)には、この取付座部(3a)から一体に形成された筒状壁部(12a)を周囲に備えた上下方向貫通ねじ孔(12)が設けられ、この上下方向貫通ねじ孔(12)を上向きに螺合貫通する締結用ボルト(22)が設けられ、当該締結用ボルト(22)の内端が前記固定筒部(1A)の下側周壁部(1Aa)を貫通して前記可動筒部(1B)を押圧固定するように構成された足場板支持用ブラケットにおいて、前記上下方向貫通ねじ孔(12)の周囲の筒状壁部(12a)は、前記斜め支持材(3)の取付座部(3a)から上向きに突設され、前記固定筒部(1A)の下側周壁部(1Aa)には、前記上下方向貫通ねじ孔(12)の周囲の筒状壁部(12a)が嵌合する貫通孔(13)が設けられた構成となっている。
【０００６】
上記構成の本発明を実施するについて、請求項２に記載のように、前記斜め支持材(3)の取付座部(3a)と前記固定筒部(1A)の下側周壁部(1Aa)とは、前記上下方向貫通ねじ孔(12)の前後両側２箇所でリベット(15a,15b)止めすることができる。
【０００７】
又、請求項３に記載のように、前記可動筒部(1B)には、この可動筒部(1B)の長さ方向と平行な長孔部(16)を形成し、この長孔部(16)を前記締結用ボルト(22)が貫通して、当該締結用ボルト(22)の先端が前記可動筒部(1B)の上側周壁部(1Ba)を前記固定筒部(1A)の内周面に押圧固定するように構成することができる。
【０００８】
更に、請求項４に記載のように、前記斜め支持材(3)の取付座部(3a)と前記固定筒部(1A)の下側周壁部(1Aa)とはリベット(15a,15b)止めし、前記長孔部(16)の可動筒部内端側の端と前記リベット(15a,15b)又は締結用ボルト(22)との当接により、前記固定筒部(1A)からの前記可動筒部(1B)の抜け出しが阻止されるように構成することができる。
【発明の効果】
【０００９】
上記構成の本発明に係る足場板支持用ブラケットによれば、足場板支持部材の固定筒部に出退移動自在に内嵌された可動筒部を固定するための締結用ボルトが螺合貫通する上下方向貫通ねじ孔は、前記固定筒部ではなく、この固定筒部に上端が取り付けられる斜め支持材の上端取付座に設けられ、しかも当該上下方向貫通ねじ孔は、前記斜め支持材の上端取付座から一体に形成された筒状壁部を周囲に備えた上下方向貫通ねじ孔であって、ナットを溶接することなくバーリング加工とねじ溝加工とで構成できるので、従来の固定筒部の外端下側周壁部にナットを溶接したり当該固定筒部の外端下側周壁部にバーリング加工とねじ溝加工とを加える構成と比較して、足場板支持部材の伸縮構造を簡単容易且つ安価に実施することができ、しかも固定筒部そのものの強度を低下させたり、締結用ボルトの取付強度を低下させるようなことがない。
【００１０】
更に本発明の構成によれば、締結用ボルトをねじ込んで可動筒部を固定筒部に対して固定するときの反力で前記上下方向貫通ねじ孔を構成する筒状壁部の付け根部分が引き伸ばされることがなく、しかも当該筒状壁部が固定筒部の下側周壁部で支持されることになるので、締結用ボルトの取付強度を十分に高めることができる。
【００１１】
又、請求項２に記載の構成によれば、前記斜め支持材の取付座部と前記固定筒部の下側周壁部とを前後２箇所で強固にリベット止めすることができると同時に、両リベットの中間に上下方向貫通ねじ孔が位置するので、締結用ボルトの取付強度も更に高めることができる。
【００１２】
又、請求項３に記載の構成によれば、足場板支持部材の可動筒部を先端の足場板落下止め突出片が上向きに突出する状態に保持するための回り止めを締結用ボルトで構成できると共に、可動筒部の下側周壁部の外周面を締結用ボルトで押圧する場合と比較して、当該締結用ボルトで可動筒部を固定したときの当該可動筒部の変形を少なくし、この変形により足場板支持部材の長さ調節に悪影響が及ぶのを抑制することができる。
【００１３】
更に、請求項４に記載の構成によれば、足場板支持部材の固定筒部からの可動筒部の抜け出しを阻止する手段を、固定筒部と斜め支持材とを固着するリベット又は前記締結用ボルトで構成することができ、別の抜け出し阻止用専用部分を構成する場合と比較して安価に実施することができる。
【発明を実施するための最良の形態】
【００１４】
以下に本発明の具体的実施例を添付図に基づいて説明すると、図１及び図２において、１は足場板支持部材、２は垂直部材、３は斜め支持材、４はパイプクランプ、５は嵌合部材、６は足場板落下止め突出片、７は足場板外側辺支持部材である。足場板支持部材１は、丸パイプ材から成る固定筒部１Ａと当該固定筒部１Ａに出退移動自在に内嵌された可動筒部１Ｂとから成る伸縮自在構造のものであって、固定筒部１Ａの内端部に垂直部材２の上端部が直角に取り付けられ、可動筒部１Ｂの外端に足場板落下止め突出片６が上向きに突出するように取り付けられている。斜め支持材３は垂直部材２の下端部と足場板支持部材１における固定筒部１Ａの外端部との間に斜めに取り付けられている。
【００１５】
垂直部材２は、図１〜図３に示すように、横断面溝形材の上端部に、足場板支持部材１の固定筒部１Ａの内端が嵌合する下側開放の有底円筒状部分２ａをプレス加工により一体成形したもので、この有底円筒状部分２ａに固定筒部１Ａの内端部を内嵌させた状態で両者を、固定筒部１Ａ側に設けた下孔に有底円筒状部分２ａの周壁部に設けた小孔の周囲を圧入させる左右一対のカシメ２ｂにより互いに固着している。パイプクランプ４は、そのベース部４ａを垂直部材２の上端近傍に設けた貫通孔２ｃ（図３参照）にボルトナット８で取り付けられたものであるが、当該パイプクランプ４のベース部４ａには、ボルトナット８と同心の仮想円上の９０度間隔の位置に向き固定用の凸部が設けられているので、垂直部材２側には、図３に示すように前記凸部が嵌合する凹部９を形成しておき、パイプクランプ４をボルトナット８で垂直部材２に固定するとき、パイプクランプ４のベース部４ａ側の凸部を前記凹部９に嵌合させることにより、当該パイプクランプ４が垂直部材２と平行な向きの鋼管Ｐをクランプできる向きに固定できるようにしている。
【００１６】
斜め支持材３は、上端から水平外側に延出する上端側取付座部３ａと下端から垂直下方に延出する下端側取付座部３ｂとをプレス加工により一体成形して成る溝形材状のもので、垂直部材２の下端部外側（パイプクランプ４が取り付けられる側とは反対側）に下端側取付座部３ｂを当て付け、垂直部材２の下端部内側に平面形状がＶ字形の嵌合部材５の中央の平坦な取付座部５ａを当て付け、これら三者を上下２本のリベット１０で互いに固着している。斜め支持材３の上端側取付座部３ａには、図６に示すように、前後２つの上下方向の取付用孔１１ａ，１１ｂと、この取付用孔１１ａ，１１ｂの中間に位置する１つの上下方向貫通ねじ孔１２とが設けられている。この上下方向貫通ねじ孔１２は、取付座部３ａから上向きに筒状壁部１２ａが一体に突出するようにバーリング加工した貫通孔にねじ溝加工を施して構成したものである。一方、足場板支持部材１の固定筒部１Ａの下側周壁部１Ａａの外端部には、図６に示すように、前記斜め支持材３の上端側取付座部３ａの上下方向貫通ねじ孔１２を構成している筒状壁部１２ａが嵌合する貫通孔１３と、当該上端側取付座部３ａの前後２つの取付用孔１１ａ，１１ｂと同心状に位置する前後２つの貫通孔１４ａ，１４ｂとが設けられ、筒状壁部１２ａを貫通孔１３に嵌合させた状態で、取付用孔１１ａと貫通孔１４ａ及び取付用孔１１ｂと貫通孔１４ｂをそれぞれ貫通する２本のブラインドリベット１５ａ，１５ｂ（図１及び図２Ｂ参照）により、斜め支持材３の上端側取付座部３ａと足場板支持部材１の固定筒部１Ａとを互いに固着している。
【００１７】
足場板支持部材１の可動筒部１Ｂは、図１、図２、及び図５Ａ，Ｂに示すように板材を筒状に曲げ加工して成るもので、具体的には、固定筒部１Ａの内周面に沿う円弧形の上側周壁部１Ｂａと当該円弧形上側周壁部１Ｂａの両側辺から垂下する平行両側壁部１Ｂｂ、及び当該平行両側壁部１Ｂｂの下辺から内側へ折曲された水平両側辺部１Ｂｃとから成る筒状体である。而して、可動筒部１Ｂの内端部では、水平両側辺部１Ｂｃは互いに近接して閉じた筒状部分１Ｂｄを形成し、外端の足場板外側辺支持部材７が外嵌する部分から前記閉じた筒状部分１Ｂｄまでの領域では、前記水平両側辺部１Ｂｃ間の間隔を広げて両水平両側辺部１Ｂｃ間に長さ方向に沿った長孔部１６が形成されている。この長孔部１６は、斜め支持材３の上端側取付座部３ａに設けられた上下方向貫通ねじ孔１２を螺合貫通するボルトが上下方向に貫通するのを妨げない巾に形成されている。
【００１８】
上記構成の可動筒部１Ｂは、図５Ａ，Ｂに示すように、固定筒部１Ａ内に長さ方向出し入れ自在に丁度内挿し得る断面寸法に構成されており、先端には足場板外側辺支持部材７が外嵌される。この足場板外側辺支持部材７は、図８に示すように、固定筒部１Ａを構成する丸パイプ材と同一の丸パイプ材を所要長さに裁断すると共に周壁の一部分を内側に圧入させて平坦な底板部７ａを形成したものであって、この足場板外側辺支持部材７が外嵌する前記可動筒部１Ｂの外端部では、図７に示すように、当該可動筒部１Ｂの外端から足場板外側辺支持部材７の巾に相当する領域において、水平両側辺部１Ｂｃを含む平行両側壁部１Ｂｂの下辺部が切除され、図５Ｃに示すように、この切除部１Ｂｅを前記平坦な底板部７ａが閉じるように足場板外側辺支持部材７が可動筒部１Ｂの外端部に外嵌されている。この状態で可動筒部１Ｂの外端に前記足場板落下止め突出片６が取り付けられることにより、足場板外側辺支持部材７は可動筒部１Ｂの外端部に自転できない状態で位置固定されることになる。
【００１９】
足場板落下止め突出片６の取り付けのために、図７に示すように、可動筒部１Ｂの平行両側壁部１Ｂｂの先端から左右一対の舌片１７が一体に突設されている。一方、足場板落下止め突出片６は、図９に示すように、上端が円弧形にカットされた板材から成るもので、その下半取付部６ａには、パイプクランプ取付用貫通ねじ孔１８が、内側へ筒状壁部１８ａが突出するバーリング加工とねじ溝加工とにより構成されると共に、可動筒部１Ｂ側の前記左右一対の舌片１７が貫通する左右一対のスリット１９が設けられている。尚、貫通ねじ孔１８を利用してボルトにより取り付けられるパイプクランプが当該ボルトの周りで回転するのを止める凹部２０（垂直部材２のパイプクランプ取付部に設けられた凹部９と同一のもの）を設けておくことができる。而して足場板落下止め突出片６は、可動筒部１Ｂ側の前記左右一対の舌片１７を左右一対のスリット１９に挿通させると共に当該スリット１９から突出する各舌片１７の先端部を押し潰してかしめることにより、可動筒部１Ｂの外端から上向きに突出する状態に固着される。同時にこの足場板落下止め突出片６は、可動筒部１Ｂからの足場板外側辺支持部材７の抜け止めとなる。２１は足場板落下止め突出片６の上半部に設けられた貫通孔であって、この足場板落下止め突出片６を足場板側辺へ釘止めする場合に利用できる。又、図９に示すように、スリット１９の外側周囲には、舌片１７の先端部をかしめたときに当該舌片１７の押し潰された部分が入り込む座ぐり凹部１９ａを設けておくことができる。
【００２０】
上記のように足場板落下止め突出片６と足場板外側辺支持部材７とが先端部に取り付けられた可動筒部１Ｂは、固定筒部１Ａの外端開口部からこの固定筒部１Ａ内に挿入されているが、固定筒部１Ａと斜め支持材３とを固着するブラインドリベット１５ａ，１５ｂの内側膨大部分が可動筒部１Ｂの水平両側辺部１Ｂｃと干渉する高さであるときは、固定筒部１Ａと斜め支持材３とを固着する前に可動筒部１Ｂを固定筒部１Ａ内に挿入し、その後、ブラインドリベット１５ａ，１５ｂで固定筒部１Ａと斜め支持材３とを固着することになる。固定筒部１Ａに可動筒部１Ｂを、その長孔部１６が可動筒部１Ｂの軸心に対し真下に位置する状態（足場板落下止め突出片６が可動筒部１Ｂに対して上向きに突出する状態）で挿入し、図１及び図５Ｂに示すように、斜め支持材３の上端側取付座部３ａが備える上下方向貫通ねじ孔１２に上向きに締結用ボルトナット２２を螺合して、当該締結用ボルト２２の先端を可動筒部１Ｂの長孔部１６を上向きに貫通させることにより、固定筒部１Ａに対する可動筒部１Ｂの組み付けが完了する。
【００２１】
上記のように組み立てられた足場板支持用ブラケットの使用方法を説明すると、図１に示すように、例えば枠組み足場の建枠に使用されている上下方向の鋼管Ｐの所要高さにパイプクランプ４を利用して足場板支持用ブラケットを取り付ける。このとき、嵌合部材５が鋼管Ｐに嵌合することにより、垂直部材２が鋼管Ｐと平行な向きに位置決めされる。同様に、水平方向に離れた位置にある他の鋼管にも足場板支持用ブラケットを取り付ける。そして同一レベルに位置する複数の足場板支持用ブラケットの足場板支持部材１間で足場板Ｄを支持させるのであるが、このとき、使用する足場板Ｄの巾に応じて足場板支持部材１の長さを調整する。即ち、締結用ボルト２２を弛めた状態で固定筒部１Ａに対し可動筒部１Ｂを長さ方向に出し入れするのであるが、この可動筒部１Ｂの出し入れ調整可能な範囲は、可動筒部１Ｂの長孔部１６の両端、即ち、内端の閉じた筒状部分１Ｂｄと足場板外側辺支持部材７との間の領域に制限され、可動筒部１Ｂがその領域を超えて長さ方向に移動することは、固定筒部１Ａ内から可動筒部１Ｂが抜け出すことも含めて、長孔部１６内に入り込んでいるブラインドリベット１５ａ，１５ｂ又は締結用ボルト２２によって阻止される。
【００２２】
可動筒部１Ｂの出し入れにより足場板支持部材１の長さを、足場板Ｄを固定筒部１Ａと足場板外側辺支持部材７とで支持すると共に当該足場板Ｄの外側辺に足場板落下止め突出片６が当接する長さに調整したならば、締結用ボルト２２を締め付け、図５Ｂに示すようにその先端で可動筒部１Ｂの円弧形上側周壁部１Ｂａを固定筒部１Ａの上側周壁部１Ａｂの内周面に押圧して当該可動筒部１Ｂを固定筒部１Ａに固定し、足場板支持部材１の長さを固定する。
【００２３】
尚、図１に仮想線で示すように、必要に応じて足場板落下止め突出片６の外側にパイプクランプ取付用貫通ねじ孔１８を利用してパイプクランプ２３を、鋼管Ｐ２を上下方向向きに固定できる向きに取り付け、当該パイプクランプ２３で保持させた鋼管Ｐ２を手摺り支柱として、足場板Ｄの外側適当高さに安全手摺りを架設することもできる。又、足場板Ｄと足場板落下止め突出片６とは、貫通孔２１を利用して釘止めすることもできる。
【００２４】
斜め支持材３の上端側取付座部３ａに設けられる上下方向貫通ねじ孔１２の筒状壁部１２ａは、下向きに突設させることもできる。この場合締結用ボルト２２は、上下方向貫通ねじ孔１２と同心状に固定筒部１Ａの下側周壁部１Ａａに設けられた貫通孔（貫通孔１３）を経由して固定筒部１Ａ内に入り込むことになる。又、斜め支持材３の上端側取付座部３ａと固定筒部１Ａの下側周壁部１Ａａとを固着する方法はブラインドリベットに限らず、溶接でも良い。勿論、ブラインドリベットを利用する場合も、その位置（取付用孔１１ａ，１１ｂ、貫通孔１４ａ，１４ｂの位置）は上下方向貫通ねじ孔１２の前後両側に限定されるものではなく、上下方向貫通ねじ孔１２の前後何れか片側であっても良いし、ブラインドリベットの本数も２本に限らない（１本でも良い）。
【図面の簡単な説明】
【００２５】
【図１】縦断側面図である。
【図２】Ａ図は平面図、Ｂ図は一部横断定面図である。
【図３】パイプクランプ取り付け前の垂直部材の背面図である。
【図４】図１のＡ−Ａ線拡大断面図である。
【図５】Ａ図は図１のＢ−Ｂ線拡大断面図、Ｂ図は図１のＣ−Ｃ線拡大断面図、Ｃ図は図１のＤ−Ｄ線拡大断面図である。
【図６】足場板支持部材の固定筒部と斜め支持材との結合部を示す分解縦断側面図である。
【図７】Ａ図は足場板支持部材の可動筒部の先端部を示す正面図、Ｂ図は同Ａ図のＥ−Ｅ線断面図である。
【図８】Ａ図は足場板外側辺支持部材を示す正面図、Ｂ図は同Ａ図のＦ−Ｆ線断面図である。
【図９】Ａ図は足場板落下止め突出片を示す正面図、Ｂ図は同Ａ図のＧ−Ｇ線断面図である。
【符号の説明】
【００２６】
１    足場板支持部材
１Ａ    固定筒部
１Ｂ    可動筒部
２    垂直部材
３    斜め支持材
３ａ    上端側取付座部
４    パイプクランプ
５    嵌合部材
６    足場板落下止め突出片
７    足場板外側辺支持部材
１１ａ，１１ｂ    取付用孔
１２    上下方向貫通ねじ孔
１２ａ    筒状壁部
１３，１４ａ，１４ｂ    貫通孔
１５ａ，１５ｂ    ブラインドリベット
１６    長孔部
Ｄ    足場板
Ｐ，Ｐ２    鋼管
【図１】
0004702939.tif 000002
【図２】
0004702939.tif 000003
【図３】
0004702939.tif 000004
【図４】
0004702939.tif 000005
【図５】
0004702939.tif 000006
【図６】
0004702939.tif 000007
【図７】
0004702939.tif 000008
【図８】
0004702939.tif 000009
【図９】
0004702939.tif 000010